【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
エレクトロルミネッセンス素子（ＥＬ）と、該エレクトロルミネッセンス素子を発光させる駆動電流を供給するための駆動トランジスタ（Ｍ１００）と、該駆動トランジスタのゲートに接続された容量（Ｃ１００）と、を有する画素回路（２）の複数と、
トランジスタ（Ｍ３）と、該トランジスタのゲートに容量素子（ｃ１）を介して電圧信号を書き込むための第１のスイッチ（Ｍ１）と、該トランジスタのゲートを参照電源（Ｖｃｃ）に接続するためのスイッチ手段（Ｍ２、Ｍ４）と、前記トランジスタから前記複数の画素回路に電流信号を供給するための第２のスイッチ（Ｍ６）と、を有する列制御回路（１）と、
を具備し、
前記列制御回路から前記画素回路に供給された電流信号は当該画素回路の容量（Ｃ１００）に充電電圧として保持され、該保持された充電電圧に基づいて前記駆動トランジスタ（Ｍ１００）は前記エレクトロルミネッセンス素子に前記駆動電流を供給する、エレクトロルミネッセンス装置において、
前記列制御回路は、
前記スイッチ手段（Ｍ２、Ｍ４）により、前記トランジスタ（Ｍ３）のゲートを前記参照電源に接続させた状態で、前記第１のスイッチ（Ｍ１）により、ブランキングレベルの電圧を前記容量素子（ｃ１）に入力し、
前記スイッチ手段（Ｍ２、Ｍ４）により、前記ゲートを前記参照電源から切り離した状態で、前記第１のスイッチ（Ｍ１）によりビデオ電圧を前記容量素子に入力して、前記トランジスタ（Ｍ３）のゲート容量（ｃ２）に電圧が保持され、
前記ゲート容量に保持された電圧に応じた前記電流信号を前記第２のスイッチ（Ｍ６）を介して供給する、
回路であることを特徴とするエレクトロルミネッセンス装置。
【請求項２】
前記スイッチ手段により前記トランジスタ（Ｍ３）のドレインとゲートを短絡させた状態で、前記ブランキングレベルの電圧が入力されることを特徴とする請求項１に記載のエレクトロルミネッセンス装置。
【請求項３】
エレクトロルミネッセンス素子（ＥＬ）と、該エレクトロルミネッセンス素子を発光させる駆動電流を供給するための駆動トランジスタ（Ｍ１００）と、該駆動トランジスタのゲートに接続された容量（Ｃ１００）と、を有する第１及び第２の画素回路（２）の複数と；
第１のトランジスタ（Ｍ３）と、該第１のトランジスタのゲートに電圧信号を書き込むための第１のスイッチ（Ｍ１）と、書き込まれた電圧信号に基づいて前記第１のトランジスタから前記第１の画素回路に電流信号を供給するための第２のスイッチ（Ｍ６）と、を有する第１の列制御回路（１）と；
第２のトランジスタ（Ｍ９）と、該第２のトランジスタのゲートに電圧信号を書き込むための第３のスイッチ（Ｍ７）と、書き込まれた電圧信号に基づいて前記第２のトランジスタから前記第２の画素回路に電流信号を供給するための第４のスイッチ（Ｍ１０）と、を有する第２の列制御回路（１）と；
を具備し、
前記列制御回路から前記画素回路に供給された電流信号は当該画素回路の容量（Ｃ１００）に充電電圧として保持され、該保持された充電電圧に基づいて前記駆動トランジスタ（Ｍ１００）は前記エレクトロルミネッセンス素子に前記駆動電流を供給する、エレクトロルミネッセンス装置において：
前記第１及び第２の列制御回路は、
前記第１のスイッチ（Ｍ１）により、ビデオ電圧を前記第１のトランジスタ（Ｍ３）のゲートに書き込む一方で、前記第４のスイッチ素子（Ｍ１０）により、電流信号を前記第２の画素回路に供給し、
前記第３のスイッチ（Ｍ７）により、ビデオ電圧を前記第２のトランジスタ（Ｍ９）のゲートに書き込む一方で、前記第２のスイッチ素子（Ｍ６）により、電流信号を前記第１の画素回路に供給する、回路であることを特徴とするエレクトロルミネッセンス装置。
【請求項４】
前記第１又は，第２の列制御回路は、
スイッチ手段（Ｍ２、Ｍ４又はＭ８、Ｍ１１）と、容量素子（ｃ１又はＣ３）と、を有し、
前記スイッチ手段により、前記第１又は第２のトランジスタ（Ｍ３又はＭ９）のゲートを前記参照電源に接続させた状態で、前記第１又は第３のスイッチ（Ｍ１又はＭ７）により、ブランキングレベルの電圧を前記容量素子（ｃ１又はＣ３）に入力し、
前記スイッチ手段（Ｍ２、Ｍ４又はＭ８、Ｍ１１）により、前記ゲートを前記参照電源から切り離した状態で、前記第１又は第３のスイッチ（Ｍ１又はＭ７）によりビデオ電圧を前記容量素子に入力して、前記第１又は第２のトランジスタ（Ｍ３又はＭ９）のゲート容量（ｃ２又はＣ４）に電圧が保持され、
前記ゲート容量に保持された電圧に応じた前記電流信号を前記第２又は第４のスイッチ（Ｍ６、Ｍ１０）を介して供給する、
ことを特徴とする請求項３に記載のエレクトロルミネッセンス装置。
【請求項５】
エレクトロルミネッセンス素子（ＥＬ）と、該エレクトロルミネッセンス素子を発光させる駆動電流を供給するための駆動トランジスタ（Ｍ１００）と、該駆動トランジスタのゲートに接続された容量（Ｃ１００）と、を有する画素回路（２）の複数と、
トランジスタ（Ｍ３）と、該トランジスタのゲートに容量素子（ｃ１）を介して電圧信号を書き込むための第１のスイッチ（Ｍ１）と、該トランジスタのゲートを参照電源（Ｖｃｃ）に接続するためのスイッチ回路（Ｍ２、Ｍ４）と、前記トランジスタから前記複数の画素回路に電流信号を供給するための第２のスイッチ（Ｍ６）と、を有する列制御回路（１）と、
を具備する表示装置を用意する工程；
前記スイッチ回路（Ｍ２、Ｍ４）により、前記トランジスタ（Ｍ３）のゲートを前記参照電源に接続させた状態で、前記第１のスイッチ（Ｍ１）により、ブランキングレベルの電圧を前記容量素子（ｃ１）に入力する工程；
前記スイッチ回路（Ｍ２、Ｍ４）により、前記ゲートを前記参照電源から切り離した状態で、前記第１のスイッチ（Ｍ１）によりビデオ電圧を前記容量素子に入力し、前記トランジスタ（Ｍ３）のゲート容量（ｃ２）に電圧を保持する工程；
前記ゲート容量に保持された電圧に応じた電流信号を、前記第２のスイッチ（Ｍ６）を介して、前記複数の画素回路のうちの対応する一つに供給する工程；
前記列制御回路から前記画素回路に供給された電流信号を、当該画素回路の容量（Ｃ１００）に充電電圧として保持する工程；
該保持された充電電圧に基づいて、前記駆動トランジスタ（Ｍ１００）により、前記エレクトロルミネッセンス素子に前記駆動電流を供給する工程；
を含むことを特徴とする表示装置の駆動方法。
【請求項６】
前記スイッチ回路により前記トランジスタ（Ｍ３）のドレインとゲートを短絡させた状態で、前記ブランキングレベルの電圧を入力することを特徴とする請求項５に記載の表示装置の駆動方法。
【請求項７】
エレクトロルミネッセンス素子（ＥＬ）と、該エレクトロルミネッセンス素子を発光させる駆動電流を供給するための駆動トランジスタ（Ｍ１００）と、該駆動トランジスタのゲートに接続された容量（Ｃ１００）と、をそれぞれ有する第１及び第２の画素回路（２）の複数と、
第１のトランジスタ（Ｍ３）と、該第１のトランジスタのゲートに電圧信号を書き込むための第１のスイッチ（Ｍ１）と、書き込まれた電圧信号に基づいて前記第１のトランジスタから前記第１の画素回路に電流信号を供給するための第２のスイッチ（Ｍ６）と、を有する第１の列制御回路（１）と、
第２のトランジスタ（Ｍ９）と、該第２のトランジスタのゲートに電圧信号を書き込むための第３のスイッチ（Ｍ７）と、書き込まれた電圧信号に基づいて前記第２のトランジスタから前記第２の画素回路に電流信号を供給するための第４のスイッチ（Ｍ１０）と、を有する第２の列制御回路（１）と、
を具備する表示装置を用意する工程；
前記第１のスイッチ（Ｍ１）により、ビデオ電圧を前記第１のトランジスタ（Ｍ３）のゲートに書き込む一方で、前記第４のスイッチ素子（Ｍ１０）により、電流信号を前記第２の画素回路に供給する工程；
前記第３のスイッチ（Ｍ７）により、ビデオ電圧を前記第２のトランジスタ（Ｍ９）のゲートに書き込む一方で、前記第２のスイッチ素子（Ｍ６）により、電流信号を前記第１の画素回路に供給する工程；
前記列制御回路から前記第１及び第２の画素回路に供給された電流信号を、各画素回路の容量（Ｃ１００）に充電電圧としてそれぞれ保持する工程；
保持されたそれぞれの充電電圧に基づいて、前記第１及び第２の画素回路のそれぞれの前記駆動トランジスタ（Ｍ１００）により、それに接続された前記エレクトロルミネッセンス素子に駆動電流を供給する工程；
を含むことを特徴とする表示装置の駆動方法。
【請求項８】
前記第１又は，第２の列制御回路は、それぞれ、
スイッチ回路（Ｍ２、Ｍ４又はＭ８、Ｍ１１）と、容量素子（ｃ１又はＣ３）と、を有しており、
前記スイッチ回路により、前記第１又は第２のトランジスタ（Ｍ３又はＭ９）のゲートを参照電源に接続させた状態で、前記第１又は第３のスイッチ（Ｍ１又はＭ７）により、ブランキングレベルの電圧を前記容量素子（ｃ１又はＣ３）に入力する工程、
前記スイッチ回路（Ｍ２、Ｍ４又はＭ８、Ｍ１１）により、前記ゲートを前記参照電源から切り離した状態で、前記第１又は第３のスイッチ（Ｍ１又はＭ７）によりビデオ電圧を前記容量素子に入力し、前記第１又は第２のトランジスタ（Ｍ３又はＭ９）のゲート容量（ｃ２又はＣ４）に電圧を保持する工程、
前記ゲート容量に保持された電圧に応じた前記電流信号を前記第２又は第４のスイッチ（Ｍ６、Ｍ１０）を介して供給する工程、
を含むことを特徴とする請求項７に記載の表示装置の駆動方法。
【手続補正２】
【補正対象書類名】明細書
【補正対象項目名】発明の名称
【補正方法】変更
【補正の内容】
【発明の名称】エレクトロルミネッセンス装置及び表示装置の駆動方法